(57)【要約】【課題】各居室に対して必要給気量を適切に供給できる換気装置および給気量調整方法を提供する。【解決手段】停止していた排気装置３３ａが稼働すると、通風経路に変化が生じ、給気グリル２３ａ〜２３ｃからの給気量バランスが大きく損なわれる。コントローラ１７は、風速センサ１５により検出された送風機１４の送風量が通常値と異なっている場合に、給気先の通風経路に変化が生じたと特定し、最も給気量が増大している給気ダンパ１６ａを閉止する。これにより、給気グリル２３ｂ，２３ｃから給気された外気が、隙間３２ａ，３２ｂを経由して排気装置３３ａから排気されるという通風経路を形成する。この結果、各居室に必要給気量を適切に供給することができる。【選択図】図６
2018021714.tif 000002
【特許請求の範囲】
【請求項１】
複数の給気経路を介して空気を送風する送風手段と、
前記送風手段の送風量を検出する送風量検出手段と、
前記複数の給気経路にそれぞれ設けられており、当該給気経路を通る空気の風量を調整する複数の風量調整手段と、
前記送風量検出手段により検出された送風量に従って、前記複数の風量調整手段のうちの何れかを閉止する制御手段と、
を備える換気装置。
【請求項２】
前記複数の風量調整手段の初期設定時に、前記送風量検出手段にて検出された送風量を前記送風手段の通常値として記憶する記憶手段を更に備え、
前記制御手段は、前記送風量検出手段により検出された送風量が、前記記憶手段に記憶された通常値と異なる場合に、前記複数の風量調整手段のうちの何れか１つを閉止する、
請求項１に記載の換気装置。
【請求項３】
前記制御手段は、前記複数の風量調整手段を順番に１つずつ閉止しながら、前記送風量検出手段により検出された送風量を収集し、当該収集した送風量のうち最も小さな送風量に対応する前記風量調整手段を閉止する、
請求項２に記載の換気装置。
【請求項４】
前記送風手段が送風する空気を温調する温調手段を更に備える、
請求項１から３の何れか１項に記載の換気装置。
【請求項５】
前記送風量検出手段は、前記送風手段の風速を基に送風量を検出する、
請求項１から４の何れか１項に記載の換気装置。
【請求項６】
前記送風量検出手段は、前記送風手段の消費電力を基に送風量を検出する、
請求項１から４の何れか１項に記載の換気装置。
【請求項７】
複数の給気経路を介して空気を送風する送風手段と、前記送風手段の送風量を検出する送風量検出手段と、前記複数の給気経路にそれぞれ設けられており、当該給気経路を通る空気の風量を調整する複数の風量調整手段と、前記複数の風量調整手段の初期設定時に、前記送風量検出手段により検出された送風量を前記送風手段の通常値として記憶する記憶手段とを有する換気装置の給気量調整方法であって、
前記送風量検出手段により検出された送風量が、前記記憶手段に記憶された通常値と異なるか否かを判別する判別ステップと、
前記判別ステップにより、検出された前記送風量が前記通常値と異なると判別された場合に、前記複数の風量調整手段を順番に１つずつ閉止しながら、前記送風量検出手段により検出された送風量を収集し、当該収集した送風量のうち最も小さな送風量に対応する前記風量調整手段を閉止する制御ステップと、
を備える給気量調整方法。
【発明の詳細な説明】
【技術分野】
【０００１】
本発明は、複数の居室に外気を給気する換気装置（および給気量調整方法）に関する。特に、本発明は、給気先に生じる通風経路の変化にも対応可能な換気装置に関するものである。
【背景技術】
【０００２】
近年、住宅の高気密化が進み、自然換気だけでは十分な換気量（給気量）が得られなくなっている。このため、複数の居室に外気を強制的に供給（給気）することのできる換気装置が、多くの住宅に導入されている。更に、空調機能を兼ね備えた換気装置、つまり、取り入れた外気を加温又は冷却してから各居室に供給する、いわゆるオールフレッシュ方式の空調装置（換気装置）が導入されるケースも増えている。
【０００３】
このような換気装置は、一般的に、住宅への設置時（初期設定時）に、各居室に対して必要給気量が供給されるように調整されている。それでも、給気口から排気口までの通風経路に何らかの変化が生じてしまうと、必要給気量が供給されない可能性がある。例えば、通風経路の途中にあるドアが開いているか閉まっているか、あるいは、何れかの居室に設置された排気装置（一例として、浴室排気装置やレンジフード）が稼働しているか停止しているかによって、排気口からの排気量が変化したり、排気口の場所そのものが変わることになる。これらのような、給気先における通風経路の変化に起因して、何れかの居室に必要給気量が供給されない状況が発生し得る。
【０００４】
このような必要給気量が供給されない状況を回避する先行技術が、特許文献１に開示されている。特許文献１に記載の空調システムでは、各居室の排気側にもダクト（排気ダクト）を設置すると共に、分岐経路毎（給気経路毎）に送風ファンを設置することで、各居室への必要給気量を確保している。
【先行技術文献】
【特許文献】
【０００５】
【特許文献１】特開２０１１−１２７８４５号公報
【発明の概要】
【発明が解決しようとする課題】
【０００６】
しかしながら、特許文献１に開示された先行技術では、余分な排気ダクトや給気ファン（分岐経路毎の送風ファン）が必要となるため、機器コストの増大が避けられず、その上、これらの設置スペースが確保できない事態も生じ得る。また、換気装置とは独立して運転される排気装置の稼働に伴う通風経路の変化には依然として対応できないため、特許文献１に開示された先行技術では、各居室への必要給気量を常に確保できるとは言い難い。
【０００７】
本発明は、上記課題を解決するためになされたもので、各居室に対して必要給気量を適切に供給できる換気装置および給気量調整方法を提供することを目的とする。
【課題を解決するための手段】
【０００８】
上記目的を達成するために、本発明に係る換気装置は、
複数の給気経路を介して空気を送風する送風手段と、
前記送風手段の送風量を検出する送風量検出手段と、
前記複数の給気経路にそれぞれ設けられており、当該給気経路を通る空気の風量を調整する複数の風量調整手段と、
前記送風量検出手段により検出された送風量に従って、前記複数の風量調整手段のうちの何れかを閉止する制御手段と、
を備える。
【発明の効果】
【０００９】
本発明によれば、送風量検出手段により検出された送風量が、例えば、風量調整手段を初期設定した際の通常値（通常送風量）と異なっている場合に、給気先の通風経路に変化が生じたと特定し、制御手段は、複数の風量調整手段のうちの何れか（一例として、最も風量が増大している給気経路の風量調整手段）を閉止する。これにより、風量（給気量）が著しく減少する給気経路（風量が増大する給気経路の影響で風量が減少する他の給気経路）を生じさせず、何れかの居室への給気量が不足する事態を回避することができる。しかも、複数の給気経路でそれぞれ風量を検出する必要がなく、安価な構成で、給気先に生じる通風経路の変化に対応することができる。
【００１０】
この結果、各居室に対して必要給気量を適切に供給できる。なお、空調機能を併せ持った換気装置では、局所的な給気量不足（風量不足）がなくなることで、空調機能を喪失する事態を回避することができ、快適な空間を提供することができる。
【図面の簡単な説明】
【００１１】
【図１】本発明の実施形態に係る換気装置と、その設置状況を示す概略構成図
【図２】換気装置の接続構成を説明するためのブロック図
【図３】換気装置の初期設置時における調整作業を説明するための模式図
【図４】通風経路に変化が生じた際における給気量バランスが損なわれた状態を示す模式図
【図５】本発明の実施形態に係る給気量調整処理の一例を示すフローチャート
【図６】給気量調整処理によって、給気量が調整された状態の一例を示す模式図
【図７】間仕切壁のドアが開放されたケースを示す模式図
【発明を実施するための形態】
【００１２】
以下、本発明の実施形態について、図面を参照しながら詳細に説明する。なお、図中同一又は相当部分には同一符号を付す。以下では、本発明が空調機能を兼ね備えた換気装置に適用される場合について説明するが、空調機能を有さない単機能の換気装置についても同様に本発明を適用することができる。すなわち、以下に説明する実施形態は説明のためのものであり、本発明の範囲を制限するものではない。従って、当業者であればこれらの各要素又は全要素をこれと均等なものに置換した実施形態を採用することが可能であるが、これらの実施形態も本発明の範囲に含まれる。
【００１３】
（実施形態）
図１は、本発明の実施形態に係る換気装置１０と、その設置状況を示す概略構成図である。まずは、図１を参照して換気装置１０の全体構成について説明する。なお、図１では、家屋３０における３つの居室に外気（又は温調空気）を供給（給気）する場合を一例とした換気装置１０を示している。なお、これ以外の数の居室に外気を供給する場合であれば、換気装置１０の構成（例えば、後述する給気ダンパ１６や給気グリル２３の数）を適宜変更することで対応可能である。
【００１４】
図１に示すように、換気装置１０は、外気を取り入れるための外気導入口１１と、外気からゴミや埃を除去するためのフィルタ１２と、外気を加温又は冷却するための熱交換器１３と、外気（又は温調空気）を各居室に送風するための送風機１４と、送風機１４の送風量を検出するための風速センサ１５と、居室への給気量を調整するための給気ダンパ１６（１６ａ〜１６ｃ）と、全体を制御するためのコントローラ１７とを備えている。なお、換気装置１０（熱交換器１３）は、配管を介して室外ユニット２１と接続されている。また、換気装置１０（給気ダンパ１６ａ〜１６ｃ）は、給気ダクト２２を介して給気グリル２３（２３ａ〜２３ｃ）と接続されている。
【００１５】
このような換気装置１０が導入（設置）される家屋３０では、例えば、間仕切壁３１ａ，３１ｂによって、３つの居室が形成されている。なお、間仕切壁３１ａ，３１ｂには、隙間３２ａ，３２ｂ（一例として、ドアのアンダーカット）が設けられており、後述するように、通風経路の一部となる。各居室には、給気口となる給気グリル２３ａ〜２３ｃが設置されており、給気ダクト２２を通じて、換気装置１０から外気が供給されるようになっている。つまり、給気ダンパ１６ａから（給気ダクト２２を介して）給気グリル２３ａまで、給気ダンパ１６ｂから給気グリル２３ｂまで、そして、給気ダンパ１６ｃから給気グリル２３ｃまでが、別々の給気経路となる。そして、送風機１４は、これらの給気経路を介してそれぞれの居室に外気を送風する。
【００１６】
すなわち、換気装置１０は、送風機１４を稼働させることで、外気導入口１１から外気を吸込み、フィルタ１２で異物を除去した後、給気ダンパ１６ａ〜１６ｃ、給気ダクト２２、及び、給気グリル２３ａ〜２３ｃを通じて、各居室に外気を供給する。なお、後述するように、給気ダンパ１６ａ〜１６ｃの開度が調整され、各居室には、必要給気量が供給される。
【００１７】
家屋３０における１つの居室は、例えば、台所であり、換気装置１０とは独立して運転される排気装置３３ａが配置されている。この排気装置３３ａは、例えば、レンジフードであり、家人が調理をしているときに稼働する（それ以外は停止している）。また、他の居室の１つは、例えば、サニタリエリアであり、排気装置３３ｂが配置されている。この排気装置３３ｂは、通常の排気口となるため、２４時間常時稼働している。
【００１８】
なお、換気装置１０は、居室へ供給する外気（空気）を温調する機能（空調機能）も備えている。つまり、室外ユニット２１を稼働させることで、熱交換器１３によって温調した空気（温調空気）を各居室へ供給する。室外ユニット２１は、例えば、圧縮機と、水冷媒熱交換器と、膨張弁とを備えている。これらは、熱交換器１３も含めて、環状に接続され、冷媒を循環させるための冷凍サイクル回路（冷媒回路ともいう。）が形成されている。そして、熱交換器１３によって外気（導入外気）を、冬期では加温し、一方、夏期では冷却（冷却除湿）する。換気装置１０は、このようにして温調した空気を上述したように各居室に供給する。
【００１９】
次に、コントローラ１７を中心として、換気装置１０を説明する。図２は、換気装置１０の接続構成を説明するためのブロック図である。
図２に示すように、コントローラ１７は、例えば、制御部１７１と、記憶部１７２とを含んでいる。
【００２０】
このようなコントローラ１７には、入力として、風速センサ１５が接続されている。なお、風速センサ１５は、送風機１４から送風される外気（又は温調空気）の風速を基に、送風機１４の送風量を検出する。そして、検出した送風量（送風量のデータ）をコントローラ１７に入力する。また、コントローラ１７には、出力として、送風機１４、給気ダンパ１６ａ〜１６ｃ、及び、室外ユニット２１が接続されている。なお、コントローラ１７には、この他にも、例えば、換気装置１０に対する指示入力が可能な、図示せぬリモコンが接続されている。このリモコンからは、例えば、後述する初期設定時に、給気ダンパ１６ａ〜１６ｃの開度をそれぞれ調整するための調整指示が、入力可能となっている。
【００２１】
制御部１７１は、例えば、ＣＰＵ（Central Processing Unit）、ＲＯＭ（Read Only Memory）、及び、ＲＡＭ（Random Access Memory）を備え、換気装置１０全体を制御する。つまり、ＣＰＵが、ＲＡＭをワークメモリとして用い、例えば、ＲＯＭに記憶される各種プログラムを適宜実行して、換気装置１０全体を制御する。なお、ＲＯＭに記憶されるプログラムには、後述する給気量調整処理のプログラムが含まれている。
【００２２】
記憶部１７２は、例えば、不揮発性メモリによって構成され、換気装置１０の制御に必要な種々のデータを記憶する。一例として、記憶部１７２は、後述する初期設定時に調整された給気ダンパ１６ａ〜１６ｃの開度（後述する標準開度）や、初期設定時における送風機１４の送風量（後述する通常送風量）を記憶する。
【００２３】
＜初期設定時における調整作業＞
続いて、換気装置１０の初期設定時における調整作業（送風量配分調整作業）について、図３を参照して説明する。
【００２４】
まず、調整者４０は、排気装置３３ａが停止しており、かつ、排気装置３３ｂが稼働している状態で、換気装置１０（送風機１４）を稼働させると共に、給気グリル２３ａ〜２３ｃ（すべての居室の給気グリル２３）から排気装置３３ｂまでの通風経路にある窓やドア等の開口部を閉止する。すなわち、給気口となる給気グリル２３ａ〜２３ｃから、排気口となる排気装置３３ｂまでの通風経路の抵抗が最も大きくなるように設定する。これにより、給気グリル２３ａを起点とした通風経路は、隙間３２ａ，３２ｂを通じて、排気装置３３ｂに至るまでとなり、また、給気グリル２３ｂを起点とした通風経路は、隙間３２ｂを通じて、排気装置３３ｂに至るまでとなる。なお、給気グリル２３ｃを起点とした通風経路は、そのまま排気装置３３ｂに至るまでとなる。そして、これらが、換気装置１０の通常運転時における通風経路となる。
【００２５】
次に、調整者４０は、給気グリル２３ａ〜２３ｃから供給される空気の風量を風速センサ４１によって計測し、それぞれの風量が大凡同じになるように給気ダンパ１６ａ〜１６ｃの開度を調整する。具体的に調整者４０は、３つの給気ダンパ１６ａ〜１６ｃの開度がすべて全開となった状態から、最も風量の大きい給気グリル２３に対応する給気ダンパ１６の開度をやや絞るという操作を数回実施し、全開のままの給気ダンパ１６に対応する給気グリル２３からの風量が最大となった時点における給気ダンパ１６ａ〜１６ｃの開度を、それぞれの標準開度とし、調整作業を終了する。
【００２６】
なお、図３の例では、排気口となる排気装置３３ｂから最も近い給気グリル２３ｃに対応する給気ダンパ１６ｃの開度が絞られ、排気装置３３ｂから最も遠い給気グリル２３ａに対応する給気ダンパ１６ａの開度が全開となっている状態で、初期設定が完了される。
【００２７】
コントローラ１７は、このような初期設定時に調整された給気ダンパ１６ａ〜１６ｃの開度（各標準開度）を記憶部１７２に記憶する。また、コントローラ１７は、初期設定時（給気ダンパ１６ａ〜１６ｃが標準開度の状態）に、風速センサ１５が検出した送風量を送風機１４の通常送風量（つまり、通常値）とし、この通常送風量を記憶部１７２に記憶する。すなわち、通常送風量は、各居室に必要給気量が供給されている状態であり、かつ、通風経路の抵抗が最大であるため、送風機１４の送風量が最も小さい状態の値となっている。
【００２８】
＜通常運転＞
続いて、上述した初期設定を終えた換気装置１０による通常運転について説明する。通常運転では、換気装置１０は、排気装置３３ｂと同様に２４時間常時稼働している。その際、給気ダンパ１６ａ〜１６ｃの開度が各標準開度に調整されているため、各居室には、必要給気量が供給されている。
このような状態で、停止していた排気装置３３ａが稼働すると、通風経路に変化が生じ、給気グリル２３ａ〜２３ｃからの給気量バランスが大きく損なわれることがある。図４は、通風経路に変化が生じた際における給気量バランスが損なわれた状態を示す模式図である。
【００２９】
図４に示すように、排気装置３３ａが稼働すると、その排気装置３３ａが新たな排気口となり、通風経路の変化が生じることとなる。つまり、排気装置３３ａに最も近い給気口となる給気グリル２３ａからの給気量（風量）が増大し、それに伴い、給気グリル２３ｂ，２３ｃからの給気量が減少する。これによって、給気グリル２３ｂ，２３ｃが設置されている２つの居室に、必要給気量が供給されないことが懸念される。
【００３０】
そこで、本発明の実施形態に係る換気装置１０では、このような通風経路の変化を、送風量検出手段である風速センサ１５に基づいて特定し（検出し）、給気量を調整する。すなわち、コントローラ１７は、風速センサ１５により検出された送風機１４の送風量が、記憶部１７２に記憶された通常送風量よりも大きくなったと判別すると、給気量を調整する。このような一連の動作を以下、図５を参照して説明する。
【００３１】
図５は、本発明の実施形態に係る給気量調整処理の一例を示すフローチャートである。この給気量調整処理は、例えば、換気装置１０の稼働に伴い、コントローラ１７（制御部１７１）により実行される。なお、図５のフローチャートでは、室外ユニット２１（熱交換器１３）の記載を省略しているが、室外ユニット２１を動作させる際には、コントローラ１７は、室外ユニット２１への制御も適宜行い、熱交換器１３によって温調された空気が、各居室に給気されるものとする。
【００３２】
まず、コントローラ１７は、送風機１４を稼働させる（ステップＳ１０１）。つまり、通常運転が開始されると、コントローラ１７は、常時稼働のために、送風機１４を稼働させる。
【００３３】
コントローラ１７は、給気ダンパ１６ａ〜１６ｃの開度を標準開度に設定する（ステップＳ１０２）。すなわち、コントローラ１７は、記憶部１７２に記憶された標準開度を読み出し、給気ダンパ１６ａ〜１６ｃの開度を、初期設定時に調整した標準開度にする。
【００３４】
コントローラ１７は、風速センサ１５により、送風機１４の送風量を検出する（ステップＳ１０３）。
【００３５】
コントローラ１７は、通常送風量と等しいか否かを判別する（ステップＳ１０４）。例えば、コントローラ１７は、ステップＳ１０３にて検出した送風量が、記憶部１７２に記憶された通常送風量と等しい（若しくは、差があっても、予め定められた許容範囲内に収まる）か、どうかを判別する。
【００３６】
コントローラ１７は、通常送風量と等しいと判別すると（ステップＳ１０４；Ｙｅｓ）、上述したステップＳ１０２に処理を戻し、給気ダンパ１６ａ〜１６ｃを標準開度のままで、通常運転を継続する。
【００３７】
一方、通常送風量と等しくない（例えば、検出した送風量が通常送風量よりも大きい）と判別した場合（ステップＳ１０４；Ｎｏ）に、コントローラ１７は、何れかの給気ダンパ１６を閉止中であるか否かを判別する（ステップＳ１０５）。
【００３８】
コントローラ１７は、何れかの給気ダンパ１６を閉止中である（つまり、給気量を調整済みである）と判別すると（ステップＳ１０５；Ｙｅｓ）、上述したステップＳ１０３に処理を戻す。
【００３９】
一方、何れの給気ダンパ１６も閉止中でないと判別した場合に（ステップＳ１０５；Ｎｏ）、コントローラ１７は、ｉ番目の給気ダンパ１６を閉止する（ステップＳ１０６）。なお、ｉ（変数ｉ）は、１〜３（自然数）の間で変化する変数であり、初期値として１が定められている。また、給気ダンパ１６ａ〜１６ｃには、同じく１〜３の値が予め割り当てられている。
つまり、ステップＳ１０５にて、送風機１４の送風量が通常送風量（つまり、通常値）ではないと判別されたので、コントローラ１７は、給気先の通風経路にどのような変化が起こったのかを探索するために、以降、給気ダンパ１６を順番に１つずつ閉止して、その際の送風機１４の送風量を収集する。
【００４０】
コントローラ１７は、風速センサ１５により検出された送風量を記憶する（ステップＳ１０７）。すなわち、コントローラ１７は、ｉ番目の給気ダンパ１６を閉止した状態で検出された送風機１４の送風量を、記憶部１７２に記憶する。なお、一時的な記憶で構わないため、例えば、制御部１７１が備えるＲＡＭ内にこの送風量を記憶するようにしてもよい。何れにしても、コントローラ１７は、検出された送風量を、閉止しているｉ番目の給気ダンパ１６と対応可能に記憶する。
【００４１】
コントローラ１７は、全ての給気ダンパ１６で実施したか否かを判別する（ステップＳ１０８）。すなわち、３番目の給気ダンパ１６を閉止した状態で検出された送風量を記憶し終えたかどうかを判別する。
【００４２】
コントローラ１７は、全ての給気ダンパ１６で実施していないと判別すると（ステップＳ１０８；Ｎｏ）、変数ｉに１を加算する（ステップＳ１０９）。そして、上述したステップＳ１０６に処理を戻す。
【００４３】
一方、全ての給気ダンパ１６で実施したと判別した場合（ステップＳ１０８；Ｙｅｓ）に、コントローラ１７は、最小の送風量に対応する給気ダンパ１６を閉止する（ステップＳ１１０）。つまり、コントローラ１７は、ステップＳ１０７にて記憶（収集）した各送風量（給気ダンパ１６を順番に１つずつ閉止した状態で検出された各送風量）のうち、最も値が小さい送風量に対応する給気ダンパ１６を特定し、その給気ダンパ１６を閉止する。これにより、最も風量が増大していた給気経路の給気ダンパ１６が閉止されるため、給気量が１カ所に偏ることなく分配することができる。そして、コントローラ１７は、上述したステップＳ１０３に処理を戻す。
【００４４】
図６は、このような給気量調整処理によって、給気量が調整された状態の一例を示す模式図である。つまり、稼働した排気装置３３ａに最も近い給気グリル２３ａに対応する給気ダンパ１６ａが閉止されているので、給気は給気グリル２３ｂ，２３ｃから行われる。そのため、給気グリル２３ｂ，２３ｃから給気された外気が、隙間３２ａ，３２ｂを経由して排気装置３３ａから排気されるという通風経路を形成する。このようにして、排気装置３３ａの稼働に伴って、給気量不足になり易い居室にも、確実に外気導入されることとなる。この結果、通風経路の変化が生じても、各居室に必要給気量を適切に供給することができる。
【００４５】
また、このような排気装置３３ａの稼働に依らず、他の要因で通風経路の変化が生じた場合でも、本発明の実施形態に係る換気装置１０では、同様に対応可能である。例えば、図７は、間仕切壁３１ｂのドア３４が開放されたケースを示す模式図である。このようなケースでは、給気グリル２３ｂから排気装置３３ｂまでの通風経路の抵抗が減少するため、それよりも遠い位置にある給気グリル２３ａからの給気量が不足することが懸念される。
【００４６】
しかしながら、このようなケースでも、上述した給気量調整処理により、給気ダンパ１６を順番に１つずつ閉止した状態で検出された各送風量のうち、最も値が小さい送風量に対応する給気ダンパ１６ｂが特定され、その給気ダンパ１６ｂが閉止される。つまり、図７に示すように、給気ダンパ１６ｂが閉止され、給気が給気グリル２３ａ，２３ｃから行われる。そのため、給気グリル２３ａから給気された外気が、隙間３２ａとドア３４（隙間３２ｂ）とを経由して排気装置３３ｂから排気されるという通風経路を形成する。このようにして、ドア３４の開放に伴って、給気量不足になり易い居室にも、確実に外気導入されることとなる。この結果、通風経路の変化が生じても、各居室に必要給気量を適切に供給することができる。
【００４７】
特に、室外ユニット２１を稼働して空調負荷も同時に処理する場合では、従来であれば、給気量が不十分な居室には室温調整が行われず、不快な環境を形成してしまっていた。しかしながら、本発明の実施形態に係る換気装置１０では、上述したように、各居室に必要給気量を適切に供給できるため、温調機能が損なわれることが無く、快適な環境形成を行うことができる。
【００４８】
また、本発明の実施形態に係る換気装置１０では、給気経路毎にセンサを配置することなく、１つの風速センサ１５を用いた送風機１４の送風量変化（トータルの風量変化）だけで給気量バランスが損なわれたことを特定できるので、より安価なシステム構成とすることができる。
【００４９】
なお、上述した換気装置１０では、排気装置３３ａ，３３ｂの稼働状態を検出していないが、例えば、集中コントローラによって、排気装置３３ａ，３３ｂの稼働状態（ＯＮ／ＯＦＦ信号）を検出し、換気装置１０がその検出結果を取得できるようにしてもよい。この場合、例えば、排気装置３３ａが稼働したのと同時に、最も近い給気経路を遮断（給気ダンパ１６ａを閉止）できるので、空気のショートサイクルによる過剰換気状態を回避し、空調負荷を低減することができる。
【００５０】
このように、空調機能を併せ持った換気装置１０において、局所的な給気量不足（送風量不足）がなくなるので、空調機能（温調機能）を喪失することを回避することができ、快適な空間を提供することができる。
【００５１】
（他の実施形態）
上記の実施形態では、初期設定時に、給気グリル２３ａ〜２３ｃから排気装置３３ｂまでの通風経路の抵抗が最も大きくなるように設定した上で、給気ダンパ１６ａ〜１６ｃの開度を調整し、標準開度として記憶する場合について説明したが、この他にも、起こり得る通風経路の変化を想定し、その際に適した給気ダンパ１６の開度を調整して、記憶しておいてもよい。
例えば、上述したように、排気装置３３ａが稼働する場合には、給気ダンパ１６ａを閉止することになるが、この状態における給気ダンパ１６ｂ，１６ｃの開度を同様に調整しておき、給気ダンパ１６ａの閉止時における開度として、記憶部１７２に記憶する。そして、コントローラ１７は、上述した給気量調整処理（ステップＳ１１０）にて、給気ダンパ１６ａを閉止して給気量を調整する際に、給気ダンパ１６ｂ，１６ｃの開度を、この給気ダンパ１６ａの閉止時における開度に設定する。
この場合、通風経路の変化に応じて、より調整された給気量を各居室に供給することができる。
【００５２】
また、上記の実施形態では、風速センサ１５を用いて、送風機１４の送風量を求める場合について説明したが、送風機１４の送風量の求める手法は、他の手法であってもよい。
例えば、フィルタ１２の前後差圧を検出するための差圧センサを用い、その差圧センサにより検出された値を基に、送風機１４の送風量を求めてもよい。この他にも、送風機１４の消費電力を検出するための電流トランス（ＣＴ：Current Transformer）を用い、その電流トランスにより検出された消費電力を基に、送風機１４の送風量を求めてもよい。
【００５３】
上記の実施形態では、換気装置１０のコントローラ１７が、上述した給気量調整処理を実行する場合について説明したが、他の装置が、換気装置１０に代わって給気量調整処理を実行するようにしてもよい。
例えば、家屋３０に、ＨＥＭＳ（Home Energy Management System）が導入されており、ＨＥＭＳコントローラ（管理装置）から、換気装置１０を制御可能である場合に、ＨＥＭＳコントローラが、換気装置１０に代わって給気量調整処理を実行する。
【００５４】
更に、このようなＨＥＭＳコントローラに限られず、給気量調整処理を行うためのプログラムを既存のパーソナルコンピュータや情報端末機器に適用することで、当該パーソナルコンピュータをＨＥＭＳコントローラと同様に機能させることも可能である。
【００５５】
また、このようなプログラムの配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカードなどのコンピュータ読み取り可能な記録媒体に格納して配布してもよいし、インターネットなどの通信ネットワークを介して配布してもよい。
【符号の説明】
【００５６】
１０  換気装置、１１  外気導入口、１２  フィルタ、１３  熱交換器、１４  送風機、１５，４１  風速センサ、１６（１６ａ〜１６ｃ）  給気ダンパ、１７  コントローラ、２１  室外ユニット、２２  給気ダクト、２３（２３ａ〜２３ｃ）  給気グリル、３０  家屋、３１（３１ａ，３１ｂ）  間仕切壁、３２（３２ａ，３２ｂ）  隙間、３３（３３ａ，３３ｂ）  排気装置、３４  ドア、１７１  制御部、１７２  記憶部、４０  調整者
【図１】
2018021714.tif 000003
【図２】
2018021714.tif 000004
【図３】
2018021714.tif 000005
【図４】
2018021714.tif 000006
【図５】
2018021714.tif 000007
【図６】
2018021714.tif 000008
【図７】
2018021714.tif 000009